(57)【要約】【課題】一人や二人住まい老人の体調の急変や、悪質な訪問販売、外部からの侵入者により危害を加えられそうになった時等、速やかに対応できる装置を提供する。【解決の手段】近所に住む老人同士で、助け合って生活する事を基本にする。老人の勘違いや、思いこみを排除するために、電池の使用を止め、ＡＣ１００Ｖ電源にした。スイッチを確実に押した事が、確認できるように、発信源にもブザーが鳴るようにした。緊急時に一番早く駆けつけてくれるのは、隣近所に住む人達である事を重視した。【特許請求の範囲】
【請求項１】
近所に在住する信頼しあえる人同士で、緊急時の互助を確実なものにするＰ．Ｎ．Ｓ装置である。
【発明の詳細な説明】
【発明の詳細な説明】
【技術分野】
【０００１】この発明は最近の家族構成に見られる、老人の一人又は二人でも安心して暮らせるための、援助に関するものである。
【背景技術】
【０００２】従来、老人の家庭でトラブルが発生した時、近所の人に助けを求めるのには、電話をかけたり、家の戸を叩いたりしていたが、気が動転していては、電話を正確にダイヤルできないかもしれず、又近所の家にかけつけるにしても、ケガをするかもしれない。
【発明が解決しようとする課題】
【０００３】（イ）老人においては、就寝中やトイレの中、風呂場での体調の急変が発生した時。
（ロ）悪質な訪問販売等で、断り切れず困った時。
（ハ）火事を起こしそうになった時。
（ニ）外部からの侵入者により、危害を加えられそうになった時。
（ホ）その他、ケガ等をした時。
本発明は、そのような場面で確実に近所の信頼出来る人を呼ぶ事が出来る。
【課題を解決するための手段】
【０００４】（イ）この装置は、小型の目覚まし時計位の大きさで、近所に住む人達が、お互いに助け合う事を前提として、４〜５軒で組む事が望ましい。
（ロ）この装置は、親機と子機から成り、親機は通常寝室の枕元に設置し、子機は必要に応じて数個設ける事が可能である。老人の身体の事を考えれば、風呂場とトイレに設置する事が望ましい。
（ハ）子機の大きさは、押し釦のみなので、５ｃｍの立方体ぐらいの大きさである。
（ニ）ランプは、戸外の目につきやすい所に設置する。
（ホ）装置の信号の伝達範囲は、１００ｍ〜２００ｍ四方ぐらいとする。
（ヘ）Ｎｅｔに参加するには、プライバシーに立ち入ることもあるので、ある程度信頼される人達で組織するべきである。
本発明は、以上の構成による装置である。
【発明を実施するための最良の形態】
【０００５】以下本発明の実施の形態について説明する。
（イ）この装置は、近所に住む人たちが、お互いに助け合う事を前提として、４〜５軒くらいで組む事が望ましい。
（ロ）装置の親機の押し釦（ＰＢＳ１）を押すと、親機内蔵のブザーが鳴り他の家の装置も同様にブザーが鳴る。
（ハ）発信源のランプだけが点灯する。
（ニ）子機の押し釦（ＰＢＳ２〜３）を押しても同様の動作をする。
（ホ）信号を受けた家では、リセット釦（ＰＢＳ４）を押し、ブザーを止め、直ちに外へ出てみる。
（ヘ）ランプが点灯している家を確認したら、出来るだけ複数の人で、その家に駆けつける。
（ト）女性の一人暮らしの家に行く時には、必ず女性が先に行くといった気遣いが必要である。
（チ）夜間の場合は、出来るだけ多人数でまとまって、行動するべきで、事件の可能性がある時は、目撃する事も心がけて、事件解決の為の情報を提供する。
本発明は、以上のような構成でこれを使用する頻度は少ないと思うが、安心して暮らす手助けとなる。
【発明の効果】
【０００６】（イ）Ｎｅｔ加入者同士の連帯感を培う。
（ロ）体調をくずした時に、手遅れとならないような、対応がとれる。
（ハ）老人を狙った詐欺等の被害防止。
（ニ）老人家庭に限らず、一般家庭にも普及すれば、地域ぐるみの防犯につながる。
【図面の簡単な説明】図１の（イ）図番地１．２．３線上に書いているＰＢＳ１、ＰＢＳ２、ＰＢＳ３は、同じ機能を有する押し釦スイッチで、ＰＢＳ１は親機（図２）に組みこまれているスイッチ。他は必要な箇所（風呂場やトイレ）に設置されているスイッチ。（ロ）１線上のＰＢＳ４は親機に組みこまれ、親機のスイッチを切るときや、受信側では、ブザーを止める機能を有する。（ハ）５線上の発信機の電波飛距離は、１００ｍ〜２００ｍぐらい。（ニ）６線上のランプは、人目につきやすい屋外に設置して、発信者の分しか点灯しない。（ホ）７線上の受信機は、グループ内の誰かが発信するとＯＮになり、ブザーを鳴らす。（ヘ）１１線上のブザーは親機組み込まれていて、ＰＢＳ４を押すと、鳴り止む。（ト）ＰＢＳ２やＰＢＳ３（図３）ランプ（図４）の取りつけは、工事を必要とする。（チ）電源はＡＣ１００■ＶＶＶを使用する。
【図１】
2005063390.tif 000002
【図２】
2005063390.tif 000003
【図３】
2005063390.tif 000004
【図４】
2005063390.tif 000005
【手続補正書】
【提出日】平成15年11月10日(2003.11.10)
【手続補正２】
【補正対象書類名】明細書
【補正対象項目名】全文
【補正方法】変更
【補正の内容】
【発明の詳細な説明】
【技術分野】
【０００１】この発明は最近の家族構成に見られる、老人の一人又は二人でも安心して暮らせるための、援助に関するものである。
【背景技術】
【０００２】この発明は、老人を主な対象としているので、老人特有の勘違いや思いこみ、繁雑な操作を排除して、スイッチを押すだけで、目的が達成できる。又電源は、ＡＣ１００Ｖを使用する。
【発明の開示】
【発明が解決しようとする課題】
【０００３】（イ）老人においては、就寝中やトイレの中、風呂場での体調の急変が発生した時。
（ロ）悪質な訪問販売等で、断り切れずに困った時。
（ハ）火事を起こしそうになった時。
（ニ）外部からの侵入者により、危害を加えられそうになった時。
（ホ）その他、ケガ等をした時。
本発明は、そのような場面で確実に近所の信頼出来る人を呼ぶ事が出来る。
【課題を解決するための手段】
【０００４】（イ）この装置は、小型の目覚まし時計位の大きさで、近所に住む人達が、お互いに助けあう事を前提として、４〜５軒で組む事が望ましい。
（ロ）この装置は、親機と子機からなり、親機は通常寝室の枕元に設置し、子機は必要に応じて数個設ける事が可能である。老人の身体の事を考えれば、風呂場とトイレに設置する事が望ましい。
（ハ）子機の大きさは、押し釦のみなので、５ｃｍ位の立方体である。
（ニ）ランプは、戸外の人目につきやすい所に設置する。
（ホ）装置の信号の伝達範囲は、１００ｍ〜２００ｍ四方ぐらいとする。
（ヘ）Ｎｅｔに加入するには、プライバシーに立ち入ることもあるので、ある程度信頼できる人達で組織するべきである。
本発明は、以上の構成による装置である。
【発明の効果】
【０００５】（イ）Ｎｅｔ加入者同士の連帯感を培う。
（ロ）体調をくずした時に、手遅れとならないような、対応がとれる。
（ハ）老人を狙った詐欺等の被害防止。
（ニ）老人家庭に限らず、一般家庭にも普及すれば、地域ぐるみの防犯につながる。
【発明を実施するための最良の形態】
【０００６】以下本発明の実施の形態について説明する。
（イ）この装置は、近所に住む人達が、お互いに助け合う事を前提として、４〜５軒位で組む事が望ましい。
（ロ）装置の親機の押し釦（ＰＢＳ１）を押すと、親機内蔵のブザーが鳴り他の家の装置も同様にブザーが鳴る。
（ハ）発信源のランプだけが点灯する。
（ニ）子機の押し釦（ＰＢＳ２〜３）を押しても同様の動作をする。
（ホ）信号を受けた家では、親機内蔵のリセット釦（ＰＢＳ４）を押し、ブザーを止め、直ちに外へ出てみる。
（ヘ）ランプが点灯している家を確認したら、出来るだけ複数の人で、その家に駆けつける。
（ト）女性の一人暮らしの家に行く時には、必ず女性が先に行くといった気遣いが必要である。
（チ）夜間の場合は、多人数でまとまって、行動するべきで、事件の可能性がある時は、目撃する事も心がけて、事件解決の為の情報を提供する。
本発明は、以上のような形態で、これを使用する頻度は少ないと思うが、安心して暮らす手助けとなる。
【図面の簡単な説明】
【０００７】
【図１】  Ｐ．Ｎ．Ｓ．装置のシーケンスを示した電気図面である。
【図２】  Ｐ．Ｎ．Ｓ．装置の本体（親機）の外観を想定した斜視図である。
【図３】  Ｐ．Ｎ．Ｓ．装置の子機の外観を想定した斜視図である。
【図４】  Ｐ．Ｎ．Ｓ．装置のランプを想定した斜視図である。
【符号の説明】
【０００８】  １
【図１】
のＰＢＳ１は
【図２】
の１の押し釦スイッチで、押すと親機内蔵の発信器が作動して
【図４】
の４のランプが点灯する。又Ｎｅｔ加入者の親機内蔵の受信器が作動して親機内蔵のブザーが鳴る。
２
【図１】
のＰＢＳ２、ＰＢＳ３は
【図３】
子機の３の押し釦スイッチでＰＢＳ１と同じ機能を持っている。
３
【図１】
のＰＢＳ４は、
【図２】
の２のリセット釦である。このスイッチを押すと発信側はブザーが鳴り止み発信器の作動は停止して、ランプは消える。又Ｎｅｔ加入者の装置の受信器は作動停止し、ブザーは鳴り止み初期の状態になる。
４受信側で
【図２】
の２のリセット釦を押すと、自分の装置のブザーが鳴り止む。
以上が本装置の一連の動作である。
2005063390.tif 000006
2005063390.tif 000007